(57)【要約】【課題】  アンテナの小型化を図ることができ、さらに、グランドパターンの形状を変えることなく、かつ、搭載する電子部品のスペースを広くとりつつ、ＶＳＷＲの広帯域化を図ることができるアンテナを提供する。【解決手段】  アンテナ１は、給電電極部４を有するアンテナ１であって、給電電極部４は、導電性の平板からなり、平板は矩形の１角が切り欠かれ、切り欠き部１５が、角をなす２辺を結ぶ内側に凸をなす円弧からなっている。【選択図】  図１
2007027894.tif 000002
【特許請求の範囲】
【請求項１】
給電体を有する広帯域アンテナであって、
上記給電体は、導電性の平板からなり、該平板は矩形の１角が切り欠かれ、該切り欠き部分が、角をなす２辺とこれら２辺を結ぶ１本の直線あるいはこれら２辺を結ぶ内側に凸をなす円弧とにより囲まれる部分からなることを特徴とする広帯域アンテナ。
【請求項２】
接地電極を有する基板に取り付けられる、給電体を有する広帯域アンテナであって、
上記給電体は、導電性の平板からなり、該平板は矩形の１角が切り欠かれ、該切り欠き部分が、角をなす２辺とこれら２辺を結ぶ１本の直線あるいはこれら２辺を結ぶ内側に凸をなす円弧とにより囲まれる部分からなっており、
上記給電体は、上記基板の端部側に、上記基板の端部に近づくにつれて上記接地電極と上記給電体との距離が離れるように、上記接地電極に対して上記切り欠き部分における上記１本の直線あるいは上記凸をなす円弧を対向させて、設けられていることを特徴とする広帯域アンテナ。
【請求項３】
上記給電体は、平板状の誘電体にて覆われていることを特徴とする請求項１または２に記載の広帯域アンテナ。
【請求項４】
上記角をなす２辺のうち、一方の辺に給電用の給電端子が、上記誘電体の外部に設けられていることを特徴とする請求項３に記載の広帯域アンテナ。
【請求項５】
上記給電端子は、上記誘電体の平面に直交して突出しており、該突出している部分が、Ｌ字状に折れ曲がっていることを特徴とする請求項４に記載の広帯域アンテナ。
【請求項６】
上記給電端子が設けられている上記一方の辺と対向する辺の両脇に１つずつ、固定用の固定端子が、上記誘電体の外部に設けられていることを特徴とする請求項５に記載の広帯域アンテナ。
【請求項７】
上記固定端子は、上記給電端子と同じ方向および同じ高さ突出している部分を有しており、Ｌ字状に折れ曲がっていることを特徴とする請求項６に記載の広帯域アンテナ。
【請求項８】
上記誘電体における上記切り欠き部分に相当する部分に、上記突出している部分と同じ方向および同じ高さ突出した突出部が設けられていることを特徴とする請求項７に記載の広帯域アンテナ。
【請求項９】
上記給電端子は、上記給電体の平面と平行に延びていることを特徴とする請求項４に記載の広帯域アンテナ。
【請求項１０】
上記給電体と上記誘電体とはインサート成形にて互いに一体成形されていることを特徴とする請求項１ないし９のいずれか１項に記載の広帯域アンテナ。
【請求項１１】
上記誘電体は、高誘電率樹脂、または、高誘電率セラミックからなることを特徴とする請求項１ないし１０のいずれか１項に記載の広帯域アンテナ。
【請求項１２】
上記給電体は、平板状の支持部材の両面に設けられており、この両面に設けられている給電体は互いに繋がっていることを特徴とする請求項１または２に記載の広帯域アンテナ。
【請求項１３】
上記支持部材は、誘電体からなることを特徴とする請求項１２に記載の広帯域アンテナ。
【請求項１４】
請求項１ないし請求項１３のいずれか１項に記載の広帯域アンテナが搭載されていることを特徴とするアンテナ搭載基板。
【発明の詳細な説明】
【技術分野】
【０００１】
本発明は、ＶＳＷＲ特性の広帯域化を図る広帯域アンテナおよび広帯域アンテナ搭載基板に関するものである。
【背景技術】
【０００２】
近年、無線通信方式が多様化し、様々な周波数に対応するアンテナが必要となり、広帯域なアンテナが必要となっている。広帯域アンテナとしては、図１３に示すように、グランドパターンが設けられた基板（ＧＮＤ基板）５０上に、半円形状の放射導体５１が円弧の中心部分（給電端子５２）をＧＮＤ基板５０に接する形で設けられたものがある。
【０００３】
このようなアンテナは、ＧＮＤ基板５０の端にいくにつれて、放射導体５１とＧＮＤ基板５０との距離が離れているため、ＶＳＷＲ（Voltage Standing Wave Ratio）特性の広帯域化を図ることができる。
【０００４】
また、携帯電話やＰＣ（personal computer）間での無線通信のために、ＰＣカード型の無線通信カードが用いられている。この無線通信カードには、無線通信を行なうために、アンテナが内蔵されている。
【０００５】
このアンテナの広帯域化を図るために、特許文献１には、図１４に示すように、誘電体基板６２上に先細らせたグランドパターン６３を設け、平面エレメント６１を適当な位置に配置することによって、グランドパターン６３と平面エレメント６１との距離を調整することにより、ＶＳＷＲの広帯域化を図った、アンテナが開示されている。
【特許文献１】特開２００４−３２８６９４号公報（平成１６年１１月１８日  公開）
【発明の開示】
【発明が解決しようとする課題】
【０００６】
しかしながら、上記の図１３に示す広帯域アンテナは、放射導体５１が半月形状であるため、アンテナ全体として大きいという問題がある。
【０００７】
また、特許文献１に記載の広帯域アンテナは、グランドパターン６３の形状を工夫することによってＶＳＷＲ特性の広帯域化を図っているため、平面エレメント６１を購入した者が、わざわざグランドパターン６３の形状を設計する必要があるため、面倒であるという問題があった。さらに、グランドパターン６３の形状を先細らせているため、グランドパターン６３に搭載する電子部品のためのスペースが小さくなるという問題があった。
【０００８】
本発明は、上記の問題点に鑑みてなされたものであり、その目的は、広帯域アンテナの小型化を図ることができ、さらに、グランドパターン（接地電極）の形状を変えることなく、かつ、搭載する電子部品のスペースを広くとりつつ、ＶＳＷＲの広帯域化を図ることができる広帯域アンテナおよび広帯域アンテナ搭載基板を提供することである。
【課題を解決するための手段】
【０００９】
本発明の広帯域アンテナは、上記課題を解決するために、給電体を有する広帯域アンテナであって、上記給電体は、導電性の平板からなり、該平板は矩形の１角が切り欠かれ、該切り欠き部分が、角をなす２辺とこれら２辺を結ぶ１本の直線あるいはこれら２辺を結ぶ内側に凸をなす円弧とにより囲まれる部分からなることを特徴としている。
【００１０】
また、本発明の広帯域アンテナは、上記課題を解決するために、接地電極を有する基板に取り付けられる、給電体を有する広帯域アンテナであって、上記給電体は、導電性の平板からなり、該平板は矩形の１角が切り欠かれ、該切り欠き部分が、角をなす２辺とこれら２辺を結ぶ１本の直線あるいはこれら２辺を結ぶ内側に凸をなす円弧とにより囲まれる部分からなっており、
上記給電体は、上記基板の端部側に、上記基板の端部に近づくにつれて上記接地電極と上記給電体との距離が離れるように、上記接地電極に対して上記切り欠き部分における上記１本の直線あるいは上記凸をなす円弧を対向させて、設けられていることを特徴としている。
【００１１】
上記構成では、接地電極（グランド；グランドパターン）の形状の設計は行なっていない。そのため、接地電極の形状を変えるという面倒な作業を行なわなくて済む。また、接地電極を従来のように先細らせたりしていないため、電子部品を載せるスペース（接地電極のスペース）を大きくとることができる。
【００１２】
さらに、アンテナを構成する給電体は、導電性の平板からなり、該平板は矩形の１角が切り欠かれ、該切り欠き部分が、角をなす２辺とこれら２辺を結ぶ１本の直線あるいはこれら２辺を結ぶ内側に凸をなす円弧とにより囲まれた部分からなっている。そのため、形状が半円形状をさらに略半分にした形状となっている。そのため、アンテナを上記で説明した従来のアンテナの半分の大きさにすることができる。従って、アンテナを小型化することができる。
【００１３】
さらに、このように小型化しても、上記基板の端部に近づくにつれて上記接地電極と上記給電体との距離が離れるように、上記接地電極に対して上記切り欠き部分における上記１本の直線あるいは上記凸をなす円弧を対向させているため、広帯域のＶＳＷＲ特性を図ることができる。さらに、給電体を基板の端部に設けることにより、さらなるＶＳＷＲ特性の広帯域化を図ることができることを本発明者らは鋭意検討の結果見出した。
【００１４】
また、本発明の広帯域アンテナでは、上記給電体は、平板状の誘電体にて覆われていることが好ましい。
【００１５】
上記構成によれば、給電体は平板状の誘電体にて覆われている。従って、この誘電体は、波長短縮効果と呼ばれる、仮想的にアンテナの大きさが実際の大きさよりも大きいアンテナと同等の機能を有するような効果を奏する。そのため、アンテナのサイズを大きくすることなく、広帯域のＶＳＷＲ特性を得ることができる。
【００１６】
また、本発明の広帯域アンテナでは、上記角をなす２辺のうち、一方の辺に給電用の給電端子が、上記誘電体の外部に設けられていることが好ましい。
【００１７】
また、本発明の広帯域アンテナでは、上記給電端子は、上記誘電体の平面に直交して突出しており、該突出している部分が、Ｌ字状に折れ曲がっていることが好ましい。
【００１８】
上記構成によれば、上記給電端子は、上記誘電体の平面に直交して突出しており、該突出している部分が、Ｌ字状に折れ曲がっている。そのため、誘電体を容易に基板に取り付けることができる。
【００１９】
また、本発明の広帯域アンテナでは、上記給電端子が設けられている上記一方の辺と対向する辺の両脇に１つずつ、固定用の固定端子が、上記誘電体の外部に設けられていることが好ましい。
【００２０】
上記構成によれば、上記給電端子が設けられている上記一方の辺と対向する辺の両脇に１つずつ、固定用の固定端子が、上記誘電体の外部に設けられている。そのため、安定して給電体を基板に取り付けることができる。
【００２１】
また、本発明の広帯域アンテナでは、上記固定端子は、上記給電端子と同じ方向および同じ高さ突出している部分を有しており、Ｌ字状に折れ曲がっていることが好ましい。
【００２２】
上記構成によれば、上記固定端子は、上記給電端子と同じ方向および同じ高さ突出している部分を有しており、Ｌ字状に折れ曲がっているため、基板に容易に誘電体を取り付けることができる。
【００２３】
また、本発明の広帯域アンテナでは、上記誘電体における上記切り欠き部分に相当する部分に、上記突出している部分と同じ方向および同じ高さ突出した突出部が設けられていることが好ましい。
【００２４】
固定端子は、上記のように、１辺の両脇に設けられているが、給電端子が設けられている辺は切り欠き部分を有しているため、切り欠き部分を避けて給電端子を設けることになる。そのため、アンテナを基板に取り付ける際に、３点は突出している一方、切り欠き部分は突出しておらず、アンテナが基板に対してがたつき、不安定な設置方法となる。これに対して、上記構成によれば、誘電体における上記切り欠き部分に相当する部分に、上記突出している部分と同じ方向および同じ高さ突出した突出部が設けられている。そのため、がたつくことなく、安定してアンテナを基板に取り付けることができる。
【００２５】
また、本発明の広帯域アンテナでは、上記給電端子は、上記給電体の平面と平行に延びていることが好ましい。
【００２６】
上記構成によれば、給電端子が給電体の平面と平行に延びている。このため、アンテナを基板に対して垂直に配置させることができる。そのため、指向性の幅を広げることができると共に、給電端子をスルーホール端子として用いることができる。
【００２７】
また、本発明の広帯域アンテナでは、上記給電体と上記誘電体とはインサート成形にて互いに一体成形されていることが好ましい。
【００２８】
上記構成によれば、上記給電体と上記誘電体とはインサート成形にて互いに一体成形されている。そのため、容易にアンテナを製造することができるため、アンテナの量産性を高めることができる。
【００２９】
また、本発明の広帯域アンテナでは、上記誘電体は、高誘電率樹脂、または、高誘電率セラミックからなることが好ましい。
【００３０】
また、本発明の広帯域アンテナでは、上記給電体は、平板状の支持部材の両面に設けられており、この両面に設けられている給電体は互いに繋がっていることが好ましい。
【００３１】
上記構成によれば、上記給電体は、平板状の支持部材の両面に設けられており、この両面に設けられている給電体は互いに繋がっている。このように、給電体は平板状の支持部材の両面に設けられているため、１つの給電体を用意すれば、基板の両端のいずれにも取り付けることができる。また、両面に設けられている給電体は互いに繋がっているため、基板に対して平行に取り付け可能であるだけでなく、基板に対して垂直に取り付けることも可能であり、所望の指向性に合わせたアンテナを得ることができる。
【００３２】
また、本発明の広帯域アンテナでは、上記支持部材は、誘電体からなることが好ましい。
【００３３】
上記構成によれば、支持部材は、誘電体からなっている。そのため、波長短縮効果により、アンテナの小型化を図ることができる。
【００３４】
また、本発明の広帯域アンテナ搭載基板では、上記のいずれかに記載の広帯域アンテナが搭載されていることが好ましい。
【発明の効果】
【００３５】
本発明の広帯域アンテナは、以上のように、給電体を有する広帯域アンテナであって、上記給電体は、導電性の平板からなり、該平板は矩形の１角が切り欠かれ、該切り欠き部分が、角をなす２辺とこれら２辺を結ぶ１本の直線あるいはこれら２辺を結ぶ内側に凸をなす円弧とにより囲まれる部分からなっている。
【００３６】
また、本発明の広帯域アンテナは、以上のように、接地電極を有する基板に取り付けられる、給電体を有する広帯域アンテナであって、上記給電体は、導電性の平板からなり、該平板は矩形の１角が切り欠かれ、該切り欠き部分が、角をなす２辺とこれら２辺を結ぶ１本の直線あるいはこれら２辺を結ぶ内側に凸をなす円弧とにより囲まれる部分からなっており、上記給電体は、上記基板の端部側に、上記基板の端部に近づくにつれて上記接地電極と上記給電体との距離が離れるように、上記接地電極に対して上記切り欠き部分における上記１本の直線あるいは上記凸をなす円弧を対向させて、設けられている。
【００３７】
従って、広帯域アンテナの小型化を図ることができ、さらに、グランドパターン（接地電極）の形状を変えることなく、かつ、搭載する電子部品のスペースを広くとりつつ、ＶＳＷＲの広帯域化を図ることができる広帯域アンテナを提供することができる、という効果を奏する。
【発明を実施するための最良の形態】
【００３８】
〔実施の形態１〕
本発明の一実施の形態について図面を用いて説明する。
【００３９】
図３は、本実施の形態のアンテナ搭載基板を示す斜視図である。このアンテナ搭載基板は、図３に示すように、基板１０と、この基板（広帯域アンテナ搭載基板）１０上に設けられたアンテナ（広帯域アンテナ）１およびグランドパターン（接地電極）１１とを有している。なお、このアンテナ搭載基板は、さらに、図示しない高周波電源および図示しない給電線を備えている。基板１０は、アンテナ１およびグランドパターン１１の基台としての役割を有しており、ＦＲ−４、テフロン（登録商標）などを素材とする樹脂基板からなっている。グランドパターン１１は、アンテナ１の機能を担保する役割を有している。
【００４０】
図２は、アンテナ１の概略構成を示す斜視図である。アンテナ１は、同図に示すように、チップ形状（平板形状）のアンテナ、すなわち、チップアンテナである。このチップアンテナは、モノポールアンテナに比して、低背化および小型化を図ることができる。また、アンテナ１は、同図に示すように、後述する誘電体としての誘電体基板３によって、平板状の外形が形成されている。
【００４１】
図１は、図２に示したアンテナ１の概略構成を示す透視図である。アンテナ１は、同図に示すように、給電導体２と、高誘電率用樹脂または高誘電率セラミックなどから成る誘電体基板３とを備えている。
【００４２】
給電導体２は、グランドパターン１１と一体となってアンテナ機能を果たしており、給電電極部（給電体；扇形放射素子部；放射電極部）４と、固定用表面実装端子部（固定端子；固定端子部）５と、給電用表面実装端子部（給電端子；給電端子部）６とを備えている。給電導体２は、図１に示すように、誘電体基板３にて挟持された構成となっている。そして、給電導体２のうち、給電電極部４は、誘電体基板３にて被覆されている（覆われている）一方、固定端子部５および給電端子部６は、誘電体基板３の外部に露出している。
【００４３】
給電電極部４は、導体（例えば、金属材料）からなる平板電極である。この給電電極部４の形状は、短辺と長辺との２組（２対）の対向辺を有する、長方形形状の平板の一隅（一角）を外側に膨らむように（湾曲して）切り欠いた形状となっている（この湾曲部を切り欠き部１５という）。つまり、給電電極部４の平面形状は、３つの矩形角と、１つの湾曲して膨らんだ角とを有している。但し、ここでは、切り欠き部１５は、湾曲しているが一直線であってもよい。また、上記で長方形状の平板とあるが、長方形状に限らず、正方形状であってもよい。
【００４４】
さらに換言すれば、給電電極部４は、導電性の平板からなり、該平板は矩形の１角が切り欠かれ、該切り欠き部分が、角をなす２辺とこれら２辺を結ぶ１本の直線あるいはこれら２辺を結ぶ内側に凸をなす円弧とにより囲まれる部分からなっている。
【００４５】
固定端子部５は、導体（例えば、金属材料）からなる平板電極であり、アンテナ１を基板１０に固定する役割を有している。固定端子部５は、長方形形状の給電電極部４の切り欠き部１５を有さない方の短辺の両脇に、誘電体基板３の外部に、誘電体基板３の長手方向へ突き出て設けられている。
【００４６】
固定端子部５は、アンテナ１を表面実装させやすいように、屈曲した構造（ここでは例えば、Ｌ字型に折れ曲がった構造）となっていることが好ましい。より具体的には、固定端子部５は、誘電体基板３の平面に直交して突出しており、該突出している部分が、Ｌ字状に折れ曲がっていることが好ましい。本実施の形態では、固定端子部５は、誘電体基板３に対して外側へ曲がっているが、これに限られず、誘電体基板３に対して内側へ曲がっていてもよい。
【００４７】
固定端子部５を屈曲した構造とすることにより、アンテナ１を基板１０に表面実装させやすくなり、アンテナ搭載基板（図３）の量産性を向上させることができる。しかしながら、アンテナ１を基板１０に表面実装させることができるものであれば、固定端子部５の構造は、屈曲した構造に限らず、何でもよい。さらに言えば、アンテナ１を基板１０に実装する手段は、固定端子部５に限らず、他の手段でもよい。
【００４８】
給電端子部６は、導体（例えば、金属材料）からなる平板状の電極であり、アンテナ１を基板１０に固定する役割と、図示しない給電線を通してアンテナ１に給電（電力を供給）する役割とを有している。給電端子部６は、長方形状の給電電極部４のうち、切り欠き部１５を有する方の短辺に、誘電体基板３の外部に、誘電体基板３の長手方向へ突き出て設けられている。この給電端子部６は、上記の固定端子部５と同様に、屈曲した構造となっている。すなわち、給電端子部６は、固定端子部５と同じ方向および同じ高さ突出している部分を有しており、誘電体基板３から離れる方へＬ字状に折れ曲がっていることが好ましい。しかしながら、給電端子部６は、上記の固定端子部５と同様に、必ずしも屈曲した構造に限られない。
【００４９】
誘電体基板３は、波長短縮効果によりアンテナの小型化を図る機能を有している。但し、誘電体基板３は、必須の構成要素ではなく、誘電体基板３が設けられていないアンテナ１も本実施の形態の技術的範囲に含まれる。
【００５０】
また、誘電体基板３は、例えば樹脂からなることが好ましい。この樹脂としては、例えばポリフェニレンサルファイド（ＰＰＳ）、液晶ポリマー（ＬＣＰ）、シンジオタクチックポリスチレン（ＳＰＳ）、ポリカーボネート（ＰＣ）、ポリエチレンテレフタレート（ＰＥＴ）、エポキシ樹脂（ＥＰ）、ポリエーテルイミド樹脂（ＰＥＩ）、フェノール樹脂（ＰＦ）などを用いることができる。また、誘電体基板３としては、高誘電率樹脂または高誘電率セラミックからなることが好ましい。
【００５１】
また、上記のＰＰＳやＬＣＰは、耐熱性、寸法安定性、および成形加工特性に優れている。また、誘電体基板３の比誘電率を５〜２０の範囲に設定することが可能である。
【００５２】
なお、誘電体基板３の４角のうちの１角には、突起部９が設けられている（図１・図２・図７参照）が、この突起部９の機能などについては、後に詳述する。
【００５３】
次に、アンテナ１の製造方法について図４（ａ）〜（ｆ）を用いて説明する。アンテナ１は、インサート成形によって、製造することが好ましい。ここで、インサート成形とは、金型を用いて、この金型内に、材料を注入して、一体成形する方法である。但し、アンテナ１を製造する方法は、インサート成形に限らず、例えば押出成形・射出成形などであってもよい。
【００５４】
このインサート成形によるアンテナ１の製造は、チップの形状をなした金型を用いて、給電導体２と誘電体基板３とを一体成形することにより行なう。この金型には、図４（ａ）に示すように、３つの端子位置決め部（窪み部）１９が設けられている。このような端子位置決め部１９を設けることにより、固定端子部５および給電端子部６と、給電電極部４との位置合せをすることができる。つまり、端子位置決め部１９は、給電導体２の位置決めを行なう役割を有している。
【００５５】
なお、このような端子位置決め部１９は、上記のような窪み部に限らず、例えば、所定の位置に棒状の突起部が形成されており、この突起部に固定端子部５および給電端子部６を給電電極部４とを接触させることによって、固定端子部５および給電端子部６と、給電電極部４とを位置合わせさせるものであってもよい。
【００５６】
このように、金型１８には、端子位置決め部１９が設けられているため、図４（ｂ）に示すように、給電導体２を金型１８の正確な位置に設置することができ、給電導体２と誘電体基板３とを精度よく一体成形することができる。
【００５７】
金型１８に給電導体２を位置決めした後、図４（ｃ）に示すように、２つの金型１８によって、給電導体２を両側から挟む。そして、金型１８に設けられた図示しない注入口から誘電体基板３の誘電体材料を注入し、誘電体基板３と給電導体２とを一体化する。
【００５８】
これにより、図４（ｄ）に分解斜視図にて示すように、給電導体２と誘電体基板３とが一体成形される。そして、図４（ｅ）に示すように、固定端子部５および給電端子部６が所望の長さになるようにカットする。最後に、図４（ｆ）に示すように、固定端子部５および給電端子部６を屈曲させる。なお、固定端子部５および給電端子部６は、所望の長さにカットした後に、屈曲させて、その後に、図４（ａ）〜図４（ｃ）に示すプロセスを行なってもよい。
【００５９】
次に本発明の最重要部分である、アンテナ１の構成、および基板１０におけるアンテナ１の位置などについて説明する。
【００６０】
本実施の形態のアンテナ１は、特に、基板１０の端部側に設けられており、基板１０の端部側に給電電極部４の切り欠き部１５が設けられている一方、基板１０の中央側は矩形状になっており、かつ、切り欠き部１５は基板１０の端部に近づくにつれてグランドパターン１１と給電電極部４との距離が離れるようになっている。上記構成によれば、ＶＳＷＲ（Voltage Standing Wave Ratio）の広帯域化を図ることができることを本発明者は見出した。このようにＶＳＲＷの広帯域化を図ることができる理由については後に実験データを用いて説明する。
【００６１】
さらに、給電電極部４に切り欠き部１５を設けているため、従来の半円状の給電電極部４に比して、給電電極部４の小型化（アンテナ１の小型化）を図ることができる。
【００６２】
また、グランドパターン１１については、何らその構造を変えることなくＶＳＷＲの広帯域化を図ることができるので、アンテナを購入したグランドメーカーにグランドパターンの設計を強いることもない。
【００６３】
さらに、グランドパターン１１の構造を変える必要がないため、グランドパターン１１の面積を広くとることができる。グランドパターン１１の面積を広くとることができれば、より多くの電子部品（不図示）をグランドパターン１１の上に搭載することができる。なお、グランドパターン１１の無い場所に電子部品（不図示）を搭載すると、アンテナ特性に悪影響を与えてしまうという問題があり、本実施の形態のアンテナ搭載基板によれば、このような問題を解決することができる。
【００６４】
上記したようにアンテナ１を基板１０の端に設けると共に、基板１０の端部側に給電電極部４の切り欠き部１５が設けられている一方、基板１０の中央側は矩形状になっており、かつ、基板１０の端部に近づくにつれてグランドパターン１１と給電電極部４との距離が離れる（大きくなる）ように設けた場合に、ＶＳＷＲの広帯域化が図れることを、本発明者が鋭意検討の結果見出した。この実験データについて説明する。
【００６５】
この実験では、図５に示すように、サイズを１０×５×１（ｍｍ）としたアンテナ１と、サイズを１０×１０×１（ｍｍ）としたアンテナ１の２通りのアンテナ１を用い、それぞれのアンテナ１を基板１０の中央（中心）に配置した場合と、基板１０の端に配置した場合とにおけるＶＳＷＲ特性を調べた。なお、図５では、いずれも基板１０の端部側に給電電極部４の切り欠き部１５が設けられている一方、基板１０の中央側は矩形状になっており、かつ、切り欠き部１５は基板１０の端部に近づくにつれてグランドパターン１１と給電電極部４との距離が離れるようになっている。
【００６６】
また、同図において、波形（ａ）はサイズが１０×５×１（ｍｍ）で基板１０の端に配置したアンテナ１のＶＳＷＲ特性を示しており、波形（ｂ）はサイズが１０×５×１（ｍｍ）で基板１０の中央に配置したアンテナ１のＶＳＷＲ特性を示しており、波形（ｃ）はサイズが１０×１０×１（ｍｍ）で基板１０の中央に配置したアンテナ１のＶＳＷＲ特性を示しており、波形（ｄ）はサイズが１０×１０×１（ｍｍ）で基板１０の端に配置したアンテナ１のＶＳＷＲ特性を示している。
【００６７】
波形（ａ）と波形（ｂ）とを比較すると、同図から分かるように、ＶＳＷＲが３以下における周波数帯域は、波形（ａ）の方が広くなっている。特に、周波数が７（ＧＨｚ）〜８（ＧＨｚ）では、波形（ａ）ではＶＳＷＲが３以下になっているのに対して、波形（ｂ）では、ＶＳＷＲが３以上となっている。従って、サイズが１０×５×１（ｍｍ）のアンテナ１では、基板１０の端に配置した方（波形（ａ）の方）が広帯域化を図ることができることがわかる。
【００６８】
次に、波形（ｃ）と波形（ｄ）とを比較すると、同図から分かるように、ＶＳＷＲが３以下の周波数帯域は、波形（ｄ）の方が広くなっている。特に、周波数が７（ＧＨｚ）〜９（ＧＨｚ）では、波形（ｄ）の方が波形（ｃ）に比してＶＳＷＲが小さくなっている。従って、サイズが１０×１０×１（ｍｍ）のアンテナ１では、基板１０の端に配置した方（波形（ｄ）の方）が広帯域化を図ることができる。
【００６９】
図６（ａ）〜（ｄ）に本実施の形態のアンテナ１を基板に取り付けた後、水平に回転させて指向性の指標となる遠方界面放射特性利得を測定した結果を示す。なお、図６（ｂ）〜（ｄ）において円周部分に示された０、９０、１８０、２７０は、アンテナ１を基板に取り付けた後、水平に回転させたときの回転角を示す。ここで、回転角はアンテナ１の基板に取り付けた後の正面方向と遠方界放射特性利得の測定装置（不図示）との位置関係を表している。
【００７０】
すなわち、今回の例では、Ｚ軸を回転させるとき（ｚ）は、Ｘ−Ｙ面上のＸ軸上が、回転の始めの地点０度であり、ここからＹ軸の矢印方向に測定装置を回転させて、９０度回転させたときがＹ軸に相当する。また、円の半径に示される数値は遠方界放射特性利得を示している。また、図６（ｂ）〜（ｄ）において、Ｖ偏波は太線で、Ｈ偏波を細線にて示している。周波数は、３．１ＧＨｚ（図６（ｂ））、４ＧＨｚ（図６（ｃ））、４．９ＧＨｚ（図６（ｄ））について測定している。
【００７１】
同図から分かるように、本実施の形態のアンテナ１では、Ｈ（水平）偏波において、高い周波数利得が得られていることが分かる。
【００７２】
図７は、図２に示すアンテナ１を背面から見た斜視図である。
【００７３】
固定端子部５および給電端子部６は、同図に示すように、基板１０（図３）にアンテナ１を固定するために、誘電体基板３面よりも突き出ている。これに対して、給電導体２の切り欠かれている部分に対応する誘電体基板３の部分には、固定端子部５や給電端子部６などの端子が設けられていないため、突き出た部分を有していない。そのため、アンテナ１を基板１０に取り付けた際には、３点止めになり、アンテナ１ががたつき、アンテナ１の基板１０への設置が不安定になってしまう。
【００７４】
これを防止するために、図７に示すように、誘電体基板３における給電導体２の切り欠き部に相当する部分に、固定端子部５および給電端子部６と同じ高さまで突き出た突起部９を設けることが好ましい。これにより、アンテナ１を基板１０に取り付けた際にアンテナ１が基板１０に対してがたついて不安定な設置になることを防止することができる。
【００７５】
〔実施の形態２〕
次に別の実施の形態のアンテナについて説明する。本実施の形態では、上記実施の形態１との相違点について説明するため、説明の便宜上、実施の形態１で説明した部材と同様の機能を有する部材には同一の番号を付し、その説明を省略する。
【００７６】
上記実施の形態１では、アンテナ１表面のうち、表面積の最も大きい面を基板１０面に対向させて、アンテナ１を基板１０に取り付けていた。つまり、アンテナ１を基板１０に対して平行に配置していた。そのため上記では、給電端子部６は、アンテナ１を基板１０に平面実装させやすいように、屈曲して構成されていた。
【００７７】
しかしながら、これに限らず、本実施の形態のように、給電端子部６が設けられている面（給電端子６が突き出ている面）を基板１０面に対向させて、アンテナ１を基板１０に取り付けてもよい。つまり、アンテナ１を基板１０に垂直に配置してもよい。この場合、図８に示すように、給電端子部６を屈曲させずに、ストレートにすることが好ましい。これにより、図９に示すように、ストレートの給電端子部６を基板１０に突き刺すだけでよいので、アンテナ１をスルーホール端子として用いることもでき、かつ、基板１０に対して垂直に配置させることが容易になる。
【００７８】
このように、アンテナ１を基板１０に対して垂直に配置させた場合にも、図９に示すように、上記実施の形態１と同様に、アンテナ１は基板１０の端部に設けられており、基板１０の端部側に給電電極部４の切り欠き部１５が設けられている一方、基板１０の中央側は矩形状になっており、かつ、この切り欠き部１５は基板１０の端に近づくにつれてグランドパターン１１と給電電極部４との距離が離れるようになっている。そのため、上記実施の形態１と同様に、ＶＳＷＲの広帯域化を図ることができる。
【００７９】
また、アンテナ１を基板１０に対して垂直に配置した場合、アンテナ１の指向性のパターンが変化し、Ｖ偏波（垂直偏波）を改善することができる。この点について、図１０（ａ）〜（ｄ）を用いて説明する。
【００８０】
図１０（ａ）〜（ｄ）に本実施の形態のアンテナ１を基板に取り付けた後、水平に回転させて指向性の指標となる遠方界面放射特性利得を測定した結果を示す。なお、図１０（ｂ）〜（ｄ）において円周部分に示された０、９０、１８０、２７０は、アンテナ１を基板に取り付けた後、水平に回転させたときの回転角を示す。ここで、回転角はアンテナ１の基板に取り付けた後の正面方向と遠方界放射特性利得の測定装置（不図示）との位置関係を表している。
【００８１】
すなわち、今回の例では、Ｚ軸を回転させるとき（ｚ）は、Ｘ−Ｙ面上のＸ軸上が、回転の始めの地点０度であり、ここからＹ軸の矢印方向に測定装置を回転させて、９０度回転させたときがＹ軸に相当する。また、円の半径に示される数値は遠方界放射特性利得を示している。また、図１０（ｂ）〜（ｄ）において、Ｖ偏波は太線で、Ｈ偏波を細線にて示している。周波数は、３．１ＧＨｚ（図１０（ｂ））、４ＧＨｚ（図１０（ｃ））、４．９ＧＨｚ（図１０（ｄ））について測定している。
【００８２】
同図から分かる通り、本実施の形態のアンテナ１ではＶ（垂直）偏波において、高い周波数利得が得られていることが分かる。
【００８３】
なお、本実施の形態では、アンテナ１の給電端子部６を基板１０に対向させて、アンテナ１を基板１０に対して垂直に設置しているため、上記の実施の形態１に示すような固定端子部５は不要である。そのため、コストを削減できると共に、アンテナ１の量産性を高めることができる。さらに、例えば上記実施の形態１における固定端子部５を収納自在とすることにより、アンテナ１の基板１０に対する取り付け方向を切り替える（実施の形態１と本実施の形態とを切り替える）構成としてもよい。これにより、所望の指向性に合わせてアンテナ１を用いることができる。
【００８４】
本実施の形態のアンテナ１も上記の実施の形態１と同様に、金型１８（図４（ａ）〜（ｆ）参照）を用いたインサート成形にて製造することができる。但し、本実施の形態のアンテナは、固定端子部５が不要であるため、金型１８における端子位置決め部１９は、１つでよい。
【００８５】
〔実施の形態３〕
さらに、別の実施の形態のアンテナについて説明する。本実施の形態では、上記実施の形態１および実施の形態２との相違点について説明するため、説明の便宜上、実施の形態１および実施の形態２で説明した部材と同様の機能を有する部材には同一の番号を付し、その説明を省略する。
【００８６】
上記いずれの実施の形態でも、給電導体２は、誘電体基板３にて挟持されていた。しかしながら、この構成に限らず、図１１に示すように、誘電体基板（支持部材）２１の表面に給電導体２を設けてもよい。なお、ここでは支持部材として誘電体基板２１としたが、本実施の形態では、必ずしも支持部材は誘電性を有する必要はなく給電導体２の給電電極部４を支持することができるものであれば、何でもよい。但し、誘電体基板２１が誘電体樹脂からなることが好ましい。誘電体基板２１が誘電体樹脂から成っていれば、波長短縮効果によりアンテナサイズを小さくできる。
【００８７】
より具体的には、チップ形状（平板状）の誘電体基板２１の両面に上記の給電電極部４と同様の形状（湾曲した切り欠き部１５を有する形状）の給電電極部（放射電極）４を設けることが好ましい。この誘電体基板２１の両面に設けられた給電電極部４は、誘電体基板２１の上面および下面にて接続されている（繋がっている）ことが好ましい。
【００８８】
本実施の形態のアンテナ１は、上記の実施の形態とは異なり、インサート成形ではなく、いわゆるＭＩＤ（Molded Interconnection Device）方法にて、誘電体基板２１に給電導体２を貼り付けて製造することができる。なお、ＭＩＤ方法とは、立体成型された、樹脂または、セラミック等の絶縁体上に、銅その他の金属を用いて、電気回路を成型する手法をいう。
【００８９】
本実施の形態のアンテナ１を図１２（ａ）（ｂ）に示すように、基板１０に対して平行に取り付ける場合には、給電導体２が外側に露出しているため、実施の形態１のような給電端子部６は不要である。そのため、アンテナ１の量産性を高めることができる。
【００９０】
また、本実施の形態のアンテナ１は、裏表をひっくり返すことにより、図１２（ａ）（ｂ）に示すように、基板１０の両端のいずれにも取り付けることができる。また、誘電体基板３の両面に設けられている給電電極部１４は、誘電体基板３の上面および下面にて接続されているので、この接続部分が給電機能を担うため、実施の形態２のように、基板１０に対して垂直に取り付けることもできる。つまり、指向性に関しては、上記のいずれの実施の形態よりも汎用性が広い。
【００９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９２】
本発明のチップアンテナは、携帯電話などと通信可能な無線通信カード、携帯内蔵アンテナ、無線ＬＡＮアンテナ、およびＲＦ−ＩＤアンテナとして好適に用いることができる。
【図面の簡単な説明】
【００９３】
【図１】本発明の実施の形態を示すものであり、アンテナの概略構成を示す透視図である。
【図２】図１に示すアンテナの概略構成を示す斜視図である。
【図３】図２に示すアンテナを搭載したアンテナ搭載基板を示す斜視図である。
【図４】（ａ）〜（ｆ）は、本発明の実施の形態を示すものであり、アンテナの製造方法を示す図である。
【図５】アンテナのサイズ、および、基板への載置位置を変更した際のＶＳＷＲ特性を示すグラフである。
【図６】（ａ）〜（ｄ）は、アンテナの放射特性解析の解析結果を示した図である。
【図７】図２に示すアンテナを背面から見た斜視図である。
【図８】本発明の別の実施の形態のアンテナを示す透視図である。
【図９】図８に示すアンテナを搭載したアンテナ搭載基板を示す斜視図である。
【図１０】（ａ）〜（ｄ）は、アンテナの放射特性解析の解析結果を示した図である。
【図１１】本発明のさらに別の実施の形態のアンテナを示す斜視図である。
【図１２】（ａ）（ｂ）は、図１１に示すアンテナを搭載したアンテナ搭載基板を示す斜視図である。
【図１３】従来のアンテナを示す説明図である。
【図１４】従来のアンテナを示す説明図である。
【符号の説明】
【００９４】
１    アンテナ（広帯域アンテナ）
３    誘電体基板（誘電体）
４    給電電極部（給電体）
５    固定端子部（固定端子）
６    給電端子部（給電端子）
９    突起部
１０  基板（広帯域アンテナ搭載基板）
１１  グランドパターン（接地電極）
１５  切り欠き部（切り欠き部分）
２１  誘電体基板（支持部材）
【図１】
2007027894.tif 000003
【図２】
2007027894.tif 000004
【図３】
2007027894.tif 000005
【図４】
2007027894.tif 000006
【図５】
2007027894.tif 000007
【図６】
2007027894.tif 000008
【図７】
2007027894.tif 000009
【図８】
2007027894.tif 000010
【図９】
2007027894.tif 000011
【図１０】
2007027894.tif 000012
【図１１】
2007027894.tif 000013
【図１２】
2007027894.tif 000014
【図１３】
2007027894.tif 000015
【図１４】
2007027894.tif 000016